(57)【要約】【課題】マスカラを使用したときであっても、容易に睫毛を放射状にばらけさせることができ、睫毛の根元から先端までを成形させることが可能な睫毛成形具を提供する。【解決手段】グリップ部２からその長手方向に突出するように睫毛成形部３を設け、睫毛成形部３の内部に長手方向に所定の長さを有する加熱部６を設けると共に、加熱部６に対向するようにコーム部材５を設ける。コーム部材５の幅方向の両側に、加熱部６よりも外側に突出するように複数のコーム２１及び２２を配列すると共に、隣接する２つのコーム２１と２２の突出量を変える。【選択図】図５
2005177232.tif 000002
【特許請求の範囲】
【請求項１】
ユーザにより把持されるグリップ部と、
前記グリップ部からその長手方向に突出するように設けられた睫毛成形部と、
前記睫毛成形部に設けられ、前記長手方向に所定の長さを有する加熱部と、
前記加熱部に対向するように前記睫毛成形部に設けられ、前記長手方向に直交する幅方向に前記加熱部よりも外側に突出するように配列された複数のコームを有するコーム部とを備えたことを特徴とする睫毛成形具。
【請求項２】
前記コームの先端は鋭角に形成されていることを特徴とする請求項１に記載の睫毛成形具。
【請求項３】
前記複数のコームのうち、前記長手方向において互いに隣接する２つのコームの前記幅方向への突出量が異なることを特徴とする請求項１又は２に記載の睫毛成形具。
【請求項４】
前記幅方向における前記加熱部の端部から前記コームの先端までの距離が２．５ｍｍ以下であることを特徴とする請求項１乃至請求項３のいずれかに記載の睫毛成形具。
【請求項５】
前記幅方向における前記コームの基部からの突出量が０．５ｍｍ以上、１．５ｍｍ以下の範囲にあり、前記長手方向における前記コームの配列ピッチが０．７ｍｍ以上、１．５ｍｍ以下の範囲にあることを特徴とする請求項１乃至請求項４のいずれかに記載の睫毛成形具。
【請求項６】
前記長手方向及び前記幅方向にそれぞれ直交する厚さ方向における前記加熱部の上端から前記幅方向における前記コームの先端までの高さが−０．５ｍｍ以上、１．０ｍｍ以下の範囲にあることを特徴とする請求項１乃至請求項５のいずれかに記載の睫毛成形具。
【請求項７】
前記コームは、前記睫毛成形部の前記幅方向の両側に設けられており、前記幅方向の一方の側に設けられたコームと他方の側に設けられたコームとが前記幅方向に結合されていることを特徴とする請求項１乃至請求項６のいずれかに記載の睫毛成形具。
【請求項８】
前記一方の側に設けられたコームと他方の側に設けられたコームとを結合する結合部が前記加熱部の全体を覆い、前記長手方向及び前記幅方向にそれぞれ直交する厚さ方向における前記加熱部の上端から前記結合部の上端までの高さが１ｍｍ以上、２ｍｍ以下の範囲にあることを特徴とする請求項７に記載の睫毛成形具。
【請求項９】
前記結合部は湾曲したリブであることを特徴とする請求項８に記載の睫毛成形具。
【請求項１０】
前記コーム部は、前記本体の前記長手方向における中心軸に対して対称であることを特徴とする請求項１乃至請求項９のいずれかに記載の睫毛成形具。
【発明の詳細な説明】
【技術分野】
【０００１】
本発明は、睫毛を成形させるための睫毛成形具に関する。
【背景技術】
【０００２】
例えば特許文献１に示された従来の睫毛成形具では、伝熱効率を向上させ、睫毛加熱部の温度を低く設定しても、睫毛の根元から先端までを容易に成形することを目的として、睫毛加熱部を睫毛成形具の先端の上面に、睫毛成形具の長手方向に沿って２列に配設している。
【０００３】
ところが、マスカラを使用する場合には、睫毛が睫毛加熱部に付着してしまい、睫毛をうまく成形させることができない可能性があった。また、マスカラが付着して睫毛がダマになってしまうと、睫毛を放射状にばらけさせることが困難であった。
【特許文献１】特開２０００−１７５７２４号公報
【発明の開示】
【発明が解決しようとする課題】
【０００４】
本発明は、上記の問題を解決するためになされたものであり、マスカラを使用した場合であっても、容易に睫毛を放射状にばらけさせることができ、睫毛の根元から先端までを成形させることが可能な睫毛成形具を提供することを目的とする。
【課題を解決するための手段】
【０００５】
上記目的を達成するために請求項１の発明は、睫毛成形具であって、ユーザにより把持されるグリップ部と、前記グリップ部からその長手方向に突出するように設けられた睫毛成形部と、前記睫毛成形部に設けられ、前記長手方向に所定の長さを有する加熱部と、前記加熱部に対向するように前記睫毛成形部に設けられ、前記長手方向に直交する幅方向に前記加熱部よりも外側に突出するように配列された複数のコームを有するコーム部とを備えたことを特徴とする。
【０００６】
請求項２の発明は、請求項１の睫毛成形具において、前記コームの先端は鋭角に形成されていることを特徴とする。
【０００７】
請求項３の発明は、請求項１又は２の睫毛成形具において、前記複数のコームのうち、前記長手方向において互いに隣接する２つのコームの前記幅方向への突出量が異なることを特徴とする。
【０００８】
請求項４の発明は、請求項１乃至請求項３のいずれかの睫毛成形具において、前記幅方向における前記加熱部の端部から前記コームの先端までの距離が２．５ｍｍ以下であることを特徴とする。
【０００９】
請求項５の発明は、請求項１乃至請求項４のいずれかの睫毛成形具において、前記幅方向における前記コームの突出量が０．５ｍｍ以上、１．５ｍｍ以下の範囲にあり、前記長手方向における前記コームの配列ピッチが０．７ｍｍ以上、１．５ｍｍ以下の範囲にあることを特徴とする。
【００１０】
請求項６の発明は、請求項１乃至請求項５のいずれかの睫毛成形具において、前記長手方向及び前記幅方向にそれぞれ直交する厚さ方向における前記加熱部の上端から前記幅方向における前記コームの先端までの高さが−０．５ｍｍ以上、１．０ｍｍ以下の範囲にあることを特徴とする。
【００１１】
請求項７の発明は、請求項１乃至請求項６のいずれかの睫毛成形具において、前記コームは、前記睫毛成形部の前記幅方向の両側に設けられており、前記幅方向の一方の側に設けられたコームと他方の側に設けられたコームとが前記幅方向に結合されていることを特徴とする。
【００１２】
請求項８の発明は、請求項７の睫毛成形具において、前記一方の側に設けられたコームと他方の側に設けられたコームとを結合する結合部が前記加熱部の全体を覆い、前記長手方向及び前記幅方向にそれぞれ直交する厚さ方向における前記加熱部の上端から前記結合部の上端までの高さが１ｍｍ以上、２ｍｍ以下の範囲にあることを特徴とする。
【００１３】
請求項９の発明は、請求項８の睫毛成形具において、前記結合部は湾曲したリブであることを特徴とする。
【００１４】
請求項１０の発明は、請求項１乃至請求項９のいずれかの睫毛成形具において、前記コーム部は、前記本体の前記長手方向における中心軸に対して対称であることを特徴とする。
【発明の効果】
【００１５】
請求項１の発明によれば、複数のコームが幅方向に加熱部から突出するように配列されているので、睫毛をばらけさせた状態で加熱部に睫毛を当てることができ、マスカラを使用したときでも、睫毛を放射状にばらけさせた状態で根元から先端までを成形させることができる。
【００１６】
請求項２の発明によれば、コームの先端が鋭角であるため、マスカラを使用したときでも、容易に睫毛を放射状にばらけさせることができる。
【００１７】
請求項３の発明によれば、長手方向に隣接する２つのコームの突出量が異なるので、マスカラを使用したときに睫毛が付着してダマになっていたとしても、長い方のコームがガイドとして機能し、それらの間の短い方のコームで睫毛をばらけさせることができる。
【００１８】
請求項４の発明によれば、幅方向における加熱部の端部からコームの先端までの距離を２．５ｍｍ以下としているので、加熱部からの熱を睫毛に効率良く伝達することができる。また、睫毛成形部を小さくすることができるので、睫毛成形具の使い勝手が向上する。
【００１９】
請求項５の発明によれば、幅方向におけるコームの基部からの突出量を０．５ｍｍ以上、１．５ｍｍ以下の範囲とし、長手方向におけるコームの配列ピッチを０．７ｍｍ以上、１．５ｍｍ以下の範囲としているので、特にマスカラを使用した後の睫毛をバランス良く放射状にばらけさせた状態でカール（成形）させることができる。
【００２０】
請求項６の発明によれば、厚さ方向における加熱部の上端から幅方向におけるコームの先端までの高さを−０．５ｍｍ以上、１．０ｍｍ以下の範囲としているので、睫毛を放射状にばらけさせた状態で、効率良く睫毛に熱を伝達することができる。
【００２１】
請求項７の発明によれば、コームが、睫毛成形部の幅方向の両側に設けられており、幅方向の一方の側に設けられたコームと他方の側に設けられたコームとが幅方向に結合されているので、一方の側のコームの先端部から長手方向に配列されたコームの間に導入された睫毛は、そのままの状態で加熱部まで到達されることができる。そのため、睫毛を放射状にばらけさせた状態で、睫毛の一本一本に効率良く熱を伝達することができる。
【００２２】
請求項８の発明によれば、一方の側に設けられたコームと他方の側に設けられたコームとを結合する結合部で加熱部の全体を覆い、加熱部の上端から結合部の上端までの高さを１ｍｍ以上、２ｍｍ以下の範囲としているので、睫毛に効率良く熱を伝達することができると共に、加熱部をユーザの皮膚及び眼球から一定の距離以上離すことができ、加熱部が直接皮膚や眼球に接触することを防止することができる。
【００２３】
請求項９の発明によれば、結合部を湾曲したリブとしているので、睫毛をカールさせる際に睫毛成形具を回転させても、睫毛成形部が瞼と干渉せずにスムーズに回転させることができ、容易に睫毛をカールさせることができる。
【００２４】
請求項１０の発明によれば、コーム部が本体の長手方向における中心軸に対して対称であるので、ユーザの使用状態、例えばユーザが左利きか右利きかなどにかかわらず、同じような状態で使用することができる。
【発明を実施するための最良の形態】
【００２５】
本発明を実施するための最良の形態について図面を参照して説明する。本発明の一実施の形態に係る睫毛成形具について、図１から図７を参照しつつ説明する。
【００２６】
図１及び図２に示すように、睫毛成形具１は、ユーザによって把持されるグリップ部２と、グリップ部２からその長手方向に突出するように設けられた睫毛成形部３とを有している。グリップ部２の睫毛成形部３側の端部近傍には、ユーザがグリップ部２を掌で握った状態で親指などで操作されるスイッチ４が設けられている。また、睫毛成形具１を正面から見てその先端部には、睫毛成形部３の一部をなすコーム部材５が着脱可能に設けられている。この睫毛成形具１は、その長手方向における中心軸に対して対称であり、ユーザの使用状態、例えばユーザが左利きか右利きかなどにかかわらず、同じような状態で使用することができるように対応している。
【００２７】
図３及び図４に示すように、グリップ部２は、それぞれ樹脂成形などで形成された上カバー１１と、上カバー１１に固定される下カバー１２と、上カバー１１にスライド式に着脱自在に取り付けられる電池室蓋１３などで構成されている。グリップ部２の内部には、電池５０に接続される金具５１、５２及び５３、スイッチ片５４、スイッチ基台５５などが設けられている。
【００２８】
睫毛成形部３は、グリップ部２の上カバー１１と下カバー１２の間に挟持されて固定されたベース部材１４と、ベース部材１４上にリブ１４Ａによって保持された加熱部６と、上記コーム部材５などで構成されている。コーム部材５は、ベース部材１４に取り付けられた状態で加熱部６に対向する。加熱部６は、ヒータ線６１、ヒータコア６２、ヒータカバー６３などで構成されている。また、加熱部６は、睫毛成形具１の長手方向に睫毛を成形するのに適する所定の長さ、具体的には、人の目の幅の数分の１程度の長さを有している。ヒータ線６１及びヒータコア６２は、略Ｕ字状に曲げられており、睫毛成形具１の長手方向に直交する幅方向において、実質的に２列に配列されている。ヒータ線６１とスイッチ片５５とはリード線６４で接続されており、スイッチ４の操作に応じて電力の供給がオン／オフされる。
【００２９】
図５及び図６に示すように、コーム部材５は、睫毛成形具１の幅方向に、加熱部６よりも外側に突出するように配列された複数のコーム２１及び２２を有している。前述のように、睫毛成形具１は、長手方向における中心軸に対して対称であるので、コーム２１及び２２は、コーム部材５の両側に形成されている。また、長手方向において互いに隣接する２つのコーム２１と２２の幅方向への突出量が異なる。さらに、各コーム２１及び２２の先端は鋭角に形成されている。このように、コーム２１及び２２の先端を鋭角にすることにより、マスカラを使用したときでも、容易に睫毛を放射状にばらけさせることができる。図５において、コーム部材５の右側の配列された各コーム２１及び２２と、左側の配列された各コーム２１及び２２とは、それぞれ外向きに湾曲したリブ（結合部）２３で結合されている。また、リブ２３が加熱部６の全体を覆うように、コーム部材５の長手方向の長さ及びコーム２１及び２２の配列数などが決められている。
【００３０】
次に、上記のように構成された睫毛成形部３の各部の具体的寸法について、図５、図６及び図７を参照しつつ検討する。まず、図７に示す睫毛成形具１の幅方向（Ｘ方向）における加熱部６の端部から各コーム２１及び２２の先端までの距離Ｄ１を２．５ｍｍ以下とする。距離Ｄ１が長くなると、加熱部６からの熱がコーム２１及び２２の先端まで伝わりにくくなり、熱伝達効率が低下すると共に、睫毛成形部３の幅が広くなり、睫毛成形具の使い勝手が低下する。そのため、距離Ｄ１を上記範囲とすることが好ましい。
【００３１】
図５に示す幅方向におけるコーム２１及び２２の基部からの突出量Ｄ２を０．５ｍｍ以上、１．５ｍｍ以下の範囲とする。一般的に、コーム部材５は樹脂成形により形成されるが、コーム部材５の強度を確保するために、コーム部材５の基部５Ａに一定の樹脂の厚さを必要とする。そのため、突出量Ｄ２を大きくすると、上記距離Ｄ１が相対的に長くなり、熱伝達効率が低下する。従って、睫毛成形部３の幅を広くすることなく、熱伝達効率を低下させず、さらにコーム部材５の強度を維持するためには、突出量Ｄ２を上記範囲とすることが好ましい。なお、突出が大きい方のコーム２１と突出が小さい方のコーム２２との突出量の差は特に限定されないが、マスカラを使用した後に睫毛が付着してダマになっていた場合であっても、突出の大きな長い方のコーム２１がガイドとして機能し、それらの間の突出の小さい短い方のコーム２２で睫毛をばらけさせることができる程度の差であればよい。
【００３２】
また、長手方向（Ｚ方向）における各コーム２１及び２２の配列ピッチＰを０．７ｍｍ以上、１．５ｍｍ以下の範囲とする。各コーム２１及び２２も、一定の強度を確保するために、一定の太さを必要とする。その一方で、各コーム２１及び２２は、上記のようにマスカラを使用したときでも睫毛を放射状にばらけさせる機能が要求される。従って、配列ピッチＰを上記の範囲とすることが好ましい。
【００３３】
図７に示す長手方向（Ｚ方向）及び幅方向（Ｘ方向）にそれぞれ直交する厚さ方向（Ｙ方向）において、加熱部６の上端から幅方向におけるコーム２１及び２２の先端（点Ｆ）までの高さＨ１を−０．５ｍｍ以上、１．０ｍｍ以下の範囲とする。コーム２１及び２２によって放射状にばらけられた睫毛は、さらに加熱部６によって加熱され、睫毛成形具１を回転させることによってカールされるが、厚さ方向の加熱部６とコーム２１及び２２の先端までの高さＨ１が高くなると、加熱部６から睫毛までの距離も長くなり、熱が伝割りにくくなる。その結果、睫毛をカールさせるのに手間取ることとなる。従って、厚さ方向における加熱部６の上端から幅方向におけるコーム２１及び２２の先端までの高さＨ１を上記の範囲とすることが好ましい。
【００３４】
さらに、厚さ方向（Ｙ方向）における加熱部６の上端からリブ２３の上端までの高さＨ２を１ｍｍ以上、２ｍｍ以下の範囲とする。リブ２３は、コーム２１及び２２によってばらけられた睫毛に接触するので、加熱部６からリブ２３に伝達され蓄積された熱は、さらに睫毛に伝達される。このとき、リブ２３の上端を高くしすぎると、加熱部６からの熱がリブ２３に十分に伝達されず、リブ２３に蓄積される熱量も少なくなる。従って、加熱部６の上端からリブ２３の上端までの高さＨ２を上記の範囲とすることが好ましい。さらに、リブ２３によって、加熱部６がユーザの皮膚及び眼球から一定の距離以上離されるので、加熱部６が直接皮膚や眼球に接触することを防止することができる。さらに、リブ２３は外側に湾曲しているので、睫毛をカールさせる際に睫毛成形具１を回転させても、睫毛成形部３が瞼と干渉せずにスムーズに回転させることができる。
【００３５】
以上説明したように、本実施の形態の睫毛成形具１によれば、マスカラを使用したときであっても、睫毛を、ダマになることなく放射状にばらけさせ、かつ効率良く睫毛を加熱することができる。また、睫毛成形部３を小さくすることができるので、睫毛成形時にスムーズに睫毛成形具１を回転させることができる。その結果、効率良く睫毛をカールさせることができる。
【図面の簡単な説明】
【００３６】
【図１】本発明の一実施の形態に係る睫毛成形具の外観を示す正面図。
【図２】上記睫毛成形具の外観を示す側面図。
【図３】上記睫毛成形具の構成を示す側部断面図。
【図４】上記睫毛成形具の構成を示す分解斜視図。
【図５】上記睫毛成形具の睫毛成形部の構成を示す正面図。
【図６】上記睫毛成形部の構成を示す側面図。
【図７】上記睫毛成形部における各部の寸法を示す断面図。
【符号の説明】
【００３７】
１  睫毛成形具
２  グリップ部
３  睫毛成形部
５  コーム部材
５Ａ  （コーム部材の）基部
６  加熱部
２１、２２  コーム
２３  リブ（結合部）
【図１】
2005177232.tif 000003
【図２】
2005177232.tif 000004
【図３】
2005177232.tif 000005
【図４】
2005177232.tif 000006
【図５】
2005177232.tif 000007
【図６】
2005177232.tif 000008
【図７】
2005177232.tif 000009